(57)【要約】【課題】トレーに２枚以上の記録媒体が載置された場合、記録媒体が損傷したり、記録再生部が損傷するなどの不具合を解消できる記録再生装置を提供する。【解決手段】記録再生装置１０は、記録再生部を収容する筐体１２を備え、筐体１２の前面にトレー挿脱口１４が形成されている。筐体１２の前面でトレー挿脱口１４の上部の左右側縁を形成する部分には、トレー挿脱口１４に連通し左右側方に延在する凹溝１８が形成されている。この凹溝１８は、上下方向において互いに対向する上縁、下縁を含んで形成され、それら上縁または下縁の一方がトレー挿脱口１４に対してトレー１６の上下高さを決定するトレー挿脱口側基準部として形成されている。筐体１２の前面でトレー挿脱口１４の上縁の中央を形成する部分には、トレー挿脱口１４に向けて突出する凸部２０が形成されている。【選択図】図１
2009093764.tif 000002
【特許請求の範囲】
【請求項１】
記録再生部を収容する筐体と、
筐体の前面に、上下の高さよりも大きい寸法の左右方向の幅を有する左右に横長のトレー挿脱口と、
記録媒体の載置を可能としたトレーと、
前記トレーを、前記トレー挿脱口の前方の記録媒体装脱位置と、前記筐体の内部の記録再生位置との間で移動させる移動機構と、
を備えた記録再生装置であって、
前記トレーが移動される方向に対して直交する方向である前記トレーの左右側部で、前記トレーが前記記録媒体装脱位置から前記記録再生位置に移動する際に前記トレー挿脱口を通る部分に、前記トレー挿脱口に対して上下の高さを決定するトレー側基準面が前記トレーの左右側部に沿ってそれぞれ延在形成され、
前記トレー挿脱口の左右側部に、前記トレー側基準面に係合可能なトレー挿脱口側基準部が形成され、
さらに、前記トレー挿脱口の上縁を形成する前記筐体部分に、前記トレーが前記記録媒体装脱位置から前記記録再生位置に移動する際に、前記トレーに重ねられて載置された２枚の記録媒体のうち上側の記録媒体の外周縁で前記トレー挿脱口に最も近接する箇所に当接可能な凸部が垂設されている、
ことを特徴とする記録再生装置。
【請求項２】
前記トレーには、第１の記録媒体を収容する第１記録媒体収容凹部と、前記第１の記録媒体よりも直径が小さい第２の記録媒体を収容する第２記録媒体収容凹部とが設けられ、
前記第２記録媒体収容凹部は前記第１記録媒体収容凹部と同軸上で前記第１記録媒体収容凹部の底部に設けられ、
前記第２記録媒体収容凹部は、前記第２の記録媒体が載置される環状の載置面と、前記載置面の外周から起立し前記第１記録媒体収容凹部の底部に繋がる傾斜面とを含んで構成され、
前記載置面は、前記トレーが前記記録媒体装脱位置に位置した状態で、前記トレー挿脱口に最も近接した箇所が最も上位となり、かつ、前記トレー挿脱口から最も離れた箇所が最も下位となるように傾斜しており、
前記載置面は、前記トレーが前記記録媒体装脱位置から前記記録再生位置に移動する際に、前記載置面に重ねられて載置された２枚の第２の記録媒体のうち上側の第２の記録媒体の外周縁で前記トレー挿脱口に最も近接する箇所に、あるいは、前記載置面に載置され１枚の第２の記録媒体の上に重ねられた第１の記録媒体の外周縁で前記トレー挿脱口に最も近接する箇所に、前記凸部が当接するように設けられている、
ことを特徴とする請求項１記載の記録再生装置。
【請求項３】
前記トレーには、第１の記録媒体を収容する第１記録媒体収容凹部と、前記第１の記録媒体よりも直径が小さい第２の記録媒体を収容する第２記録媒体収容凹部とが設けられ、
前記第２記録媒体収容凹部は前記第１記録媒体収容凹部と同軸上で前記第１記録媒体収容凹部の底部に設けられ、
前記第２記録媒体収容凹部は、前記第２の記録媒体が載置される環状の載置面と、前記載置面の外周から起立し前記第１記録媒体収容凹部の底部に繋がる傾斜面とを含んで構成され、
前記載置面は、前記トレーが前記記録媒体装脱位置に位置した状態で、前記トレー挿脱口に最も近接した箇所が最も上位となり、かつ、前記トレー挿脱口から最も離れた箇所が最も下位となるように傾斜しており、
前記トレーが前記記録媒体装脱位置に位置した状態で、前記傾斜面が前記トレー挿脱口側に位置する箇所では、前記載置面に対する前記傾斜面の角度よりも小さな角度で起立し前記傾斜面を取り除く別の傾斜面が形成されている、
ことを特徴とする請求項１または２記載の記録再生装置。
【発明の詳細な説明】
【技術分野】
【０００１】
本発明は記録再生装置に関する。
【背景技術】
【０００２】
記録再生装置（本発明では記録再生装置とは、記録および再生の双方を行う装置を含むことは無論のこと、記録のみ行う装置または再生のみ行う装置をも含む）では、記録再生部を収容する筐体と、筐体の前面に設けられたトレー挿脱口と、記録媒体の載置を可能としたトレーと、トレーを、前記トレー挿脱口の前方の記録媒体装脱位置と、前記筐体の内部の記録再生位置との間で移動させる移動機構などが設けられている。
そして、従来、トレーには１枚の記録媒体が載置されることを前提として記録再生装置が構成されている（特許文献１、２）。
【特許文献１】特開２００４−３５５６２７
【特許文献２】特開２００５−３１７１６７
【発明の開示】
【発明が解決しようとする課題】
【０００３】
そのため、トレーに２枚以上の記録媒体が載置された場合、記録媒体が筐体の内部に引き込まれ、記録媒体が損傷したり、記録再生部が損傷するなどの不具合が考えられる。
本発明はこのような事情に鑑みなされたものであり、本発明の目的は、トレーに２枚以上の記録媒体が載置された場合、記録媒体が損傷したり、記録再生部が損傷するなどの不具合を解消できる記録再生装置を提供することにある。
【課題を解決するための手段】
【０００４】
上述の目的を達成するため、本発明は、記録再生部を収容する筐体と、筐体の前面に、上下の高さよりも大きい寸法の左右方向の幅を有する左右に横長のトレー挿脱口と、記録媒体の載置を可能としたトレーと、前記トレーを、前記トレー挿脱口の前方の記録媒体装脱位置と、前記筐体の内部の記録再生位置との間で移動させる移動機構とを備えた記録再生装置であって、前記トレーが移動される方向に対して直交する方向である前記トレーの左右側部で、前記トレーが前記記録媒体装脱位置から前記記録再生位置に移動する際に前記トレー挿脱口を通る部分に、前記トレー挿脱口に対して上下の高さを決定するトレー側基準面が前記トレーの左右側部に沿ってそれぞれ延在形成され、前記トレー挿脱口の左右側部に、前記トレー側基準面に係合可能なトレー挿脱口側基準部が形成され、さらに、前記トレー挿脱口の上縁を形成する前記筐体部分に、前記トレーが前記記録媒体装脱位置から前記記録再生位置に移動する際に、前記トレーに重ねられて載置された２枚の記録媒体のうち上側の記録媒体の外周縁で前記トレー挿脱口に最も近接する箇所に当接可能な凸部が垂設されていることを特徴とする。
【発明の効果】
【０００５】
そのため、本発明によれば、トレーに複数枚の記録媒体が載置されている状態では、トレーがトレー挿脱口から筐体の内部に移動する際、上側に位置する記録媒体の外周が凸部に当たる。したがって、例えば、負荷検出機構を筐体に設けておけば、負荷検出機構の検出信号によりトレーを挿脱位置にいったん戻してローディング動作が停止される。あるいは、上側に位置する記録媒体が筐体の外に落下し下側の記録媒体のローディング動作がなされる。
【発明を実施するための最良の形態】
【０００６】
次に本発明の実施の形態について図面を参照して説明する。
図１（Ａ）はオートチェンジャの記録再生装置１０の筐体１２の正面図、（Ｂ）は（Ａ）のＢＢ線断面図、図２はオートチェンジャの記録再生装置１０にトレー１６が装着された状態の正面図、図３（Ａ）はトレー１６の平面図、（Ｂ）はトレー１６の正面図、（Ｃ）はトレー１６の側面図を示している。
オートチェンジャは、記録再生装置１０と、複数のディスク状の記録媒体が収容された不図示のストッカと、記録再生装置１０とストッカとの間で記録媒体を搬送する不図示の搬送装置とを含んで構成されている。
【０００７】
記録再生装置１０は、記録再生部を収容する筐体１２を備え、筐体１２の前面にトレー挿脱口１４が形成されている。
トレー挿脱口１４は、トレー１６の厚さよりも大きい上下の高さおよびトレー１６よりも大きな左右の幅をもって左右に横長に形成されている。
筐体１２の前面でトレー挿脱口１４の上部の左右側縁を形成する部分には、トレー挿脱口１４に連通し左右側方に延在する凹溝１８が形成されている。この凹溝１８は、上下方向において互いに対向する上縁、下縁を含んで形成され、それら上縁または下縁の一方がトレー挿脱口１４に対してトレー１６の上下高さを決定するトレー挿脱口側基準部として形成されている。
また、筐体１２の前面でトレー挿脱口１４の上縁の中央を形成する部分には、トレー挿脱口１４に向けて突出する凸部２０が形成されている。
【０００８】
トレー挿脱口１４にはトレー１６が出し入れされ、このトレー１６は、不図示の駆動機構によって、トレー挿脱口１４の前方の記録媒体装脱位置と、筐体１２の内部の記録再生位置との間で移動される。
トレー１６は、駆動機構に連結される基部２０と、基部２０に連接された本体部２２とを含んで構成されている。
本実施の形態では、ディスク状の記録媒体はＣＤ，ＤＶＤ、ＢＤなどの光ディスク２であり、本体部２２には、光ディスク回転駆動用のターンテーブルを臨ませる中央孔２２Ａが設けられ、また、この中央孔２２Ａを中心として直径１２ｃｍの光ディスク２を収容する第１光ディスク収容凹部２４（特許請求の範囲の第１記録媒体収容凹部に相当）と、直径８ｃｍの光ディスク２を収容する第２光ディスク収容凹部２６（特許請求の範囲の第２記録媒体収容凹部に相当）とが設けられている。なお、本実施の形態では、直径１２ｃｍの光ディスク２が特許請求の範囲の第１の記録媒体に相当し、直径８ｃｍの光ディスク２が特許請求の範囲の第２の記録媒体に相当している。
なお、図３において符号２２Ｂは、第１、第２光ディスク収容凹部２６に収容された光ディスク２の記録面に対して不図示の光ピックアップを臨ませる欠部を示している。
【０００９】
第１光ディスク収容凹部２４は、直径１２ｃｍの光ディスク２の外周面が載置される環状の第１載置面２４Ａと、第１載置面２４Ａの外周から起立し本体部２２の上面に接続する第１傾斜面２４Ｂを含んで構成されている。
第１載置面２４Ａは、本体部２２の上面と平行に設けられている。
第１傾斜面２４Ｂは、直径１２ｃｍの光ディスク２の外周部が第１載置面２４Ａに載置される際のガイド面として機能する。
上述した筐体１２のトレー挿脱口１４の凸部２０は、トレー１６が前記記録媒体装脱位置から前記記録再生位置に移動する際に、第１載置面２４Ａに重ねられて載置された２枚の直径１２ｃｍの光ディスク２のうち上側の光ディスク２の外周縁でトレー挿脱口１４に最も近接する箇所に当接可能に設けられている。
【００１０】
第２光ディスク収容凹部２６は、直径８ｃｍの光ディスク２の外周面が載置される環状の第２載置面２６Ａと、第２載置面２６Ａの外周から起立し第１載置面２４Ａに接続する第２傾斜面２６Ｂを含んで構成されている。
第２載置面２６Ａは、図４に示すように、トレー１６が前記記録媒体装脱位置に位置した状態で、トレー挿脱口１４に最も近接した箇所が最も上位となり、かつ、トレー挿脱口１４から最も離れた箇所が最も下位となるように傾斜して設けられている。
第２傾斜面２６Ｂは、直径８ｃｍの光ディスクの外周部が第２載置面２６Ａに載置される際のガイド面として機能する。
第２載置面２６Ａの傾斜に対応して第２傾斜面２６Ｂの高さは、本体部２２の先端から基部２０側に向けて次第に小さくなるように設けられている。
そして、図３（Ａ）に示すように、第２傾斜面２６Ｂが基部２０側に位置する箇所では、第２載置面２６Ａに対する第２傾斜面２６Ｂの角度よりも小さな角度で起立する第３傾斜面２６Ｃが形成され、この第３傾斜面２６Ｃにより第２傾斜面２６Ｂが取り除かれている。
第２載置面２６Ａは、トレー１６が前記記録媒体装脱位置から前記記録再生位置に移動する際に、第２載置面２６Ａに重ねられて載置された２枚の直径８ｃｍの光ディスクのうち上側の光ディスク２の外周縁でトレー挿脱口１４に最も近接する箇所に、あるいは、第２載置面２６Ａに載置された１枚の直径８ｃｍの光ディスク２の上に重ねられた直径１２ｃｍの光ディスク２の外周縁でトレー挿脱口１４に最も近接する箇所に、凸部２０が当接するように設けられている。
【００１１】
トレー１６が移動される方向に対して直交する方向であるトレー１６の左右側部で、トレー１６が前記記録媒体装脱位置から前記記録再生位置に移動する際にトレー挿脱口１４を通る部分に、位置決め用フランジ２８が設けられている。
この位置決め用フランジ２８の上面または下面は、前記トレー挿脱口側基準部に係合可能な基準面として形成されている。
【００１２】
次に作用効果について説明する。
第１光ディスク収容凹部２４の第１載置面２４Ａに、直径１２ｃｍの光ディスク２が１枚収容されている状態では、図５に示すように、トレー１６はトレー挿脱口１４に対して従来と同様に出し入れされる。
【００１３】
第１光ディスク収容凹部２４の第１載置面２４Ａに、直径１２ｃｍの光ディスクが２枚重ねて収容されている状態では、図６に示すように、トレー１６がトレー挿脱口１４から筐体１２の内部に移動する際、上側に位置する光ディスク２の外周縁が凸部２０に当たる。
この場合、例えば、負荷検出機構を筐体１２に設けておけば、負荷検出機構の検出信号によりトレー１６を挿脱位置にいったん戻してローディング動作が停止される。あるいは、上側に位置する光ディスク２が筐体１２の外に落下し下側の光ディスク２のローディング動作がなされる。
したがって、何れの場合も上側に重ねられた直径１２ｃｍの光ディスク２が筐体１２の内部に引き込まれ、光ディスク２が損傷したり、光ピックアップが損傷するなどの不具合が防止される。
【００１４】
また、第２光ディスク収容凹部２６の第２載置面２６Ａに、直径８ｃｍの光ディスク２が１枚収容されている状態では、図７に示すように、トレー１６はトレー挿脱口１４に対して従来と同様に出し入れされる。この場合、直径８ｃｍの光ディスク２は、第３傾斜面２６Ｃが位置する部分を除いてその外周部が第２傾斜面２６Ｂにより径方向に移動しにくいように係止される。
【００１５】
第２光ディスク収容凹部２６の第２載置面２６Ａに、直径８ｃｍの光ディスク２が２枚重ねて収容されている状態では、図８に示すように、トレー１６がトレー挿脱口１４から筐体１２の内部に移動する際、上側に位置する光ディスク２の外周縁が凸部２０に当たる。
この場合、例えば、負荷検出機構を筐体１２に設けておけば、負荷検出機構の検出信号によりトレー１６を挿脱位置にいったん戻してローディング動作が停止される。あるいは、上側に位置する光ディスク２が筐体１２の外に落下し下側の光ディスク２のローディング動作がなされる。
したがって、何れの場合も上側に重ねられた直径８ｃｍの光ディスクが筐体１２の内部に引き込まれ、光ディスク２が損傷したり、光ピックアップが損傷するなどの不具合が防止される。
【００１６】
また、第２光ディスク収容凹部２６の第２載置面２６Ａに、直径８ｃｍの光ディスク２が１枚収容され、かつ、その上に、直径１２ｃｍの光ディスク２が１枚重ねて収容されている状態では、図９に示すように、トレー１６がトレー挿脱口１４から筐体１２の内部に移動する際、上側に位置する直径１２ｃｍの光ディスク２の外周縁が凸部２０に当たる。
この場合、例えば、負荷検出機構を筐体１２に設けておけば、負荷検出機構の検出信号によりトレー１６を挿脱位置にいったん戻してローディング動作が停止される。あるいは、上側に位置する直径１２ｃｍの光ディスク２が筐体１２の外に落下し下側の直径８ｃｍの光ディスク２のローディング動作がなされる。
したがって、何れの場合も上側に重ねられた直径１２ｃｍの光ディスク２が筐体１２の内部に引き込まれ、光ディスク２が損傷したり、光ピックアップが損傷するなどの不具合が防止される。
【００１７】
また、実施の形態では、記録再生装置１０が扱う記録媒体が光ディスクである場合について説明したが、本発明は、例えば、記録媒体がＩＣカードや光カード、磁気カードなど板状を呈している場合であっても無論適用可能である。
【図面の簡単な説明】
【００１８】
【図１】（Ａ）はオートチェンジャの記録再生装置１０の筐体１２の正面図、（Ｂ）は（Ａ）のＢＢ線断面図である。
【図２】オートチェンジャの記録再生装置１０にトレー１６が装着された状態の正面図である。
【図３】（Ａ）はトレー１６の平面図、（Ｂ）はトレー１６の正面図、（Ｃ）はトレー１６の側面図である。
【図４】トレー１６の断面図である。
【図５】第１光ディスク収容凹部２４の第１載置面２４Ａに直径１２ｃｍの光ディスク２が１枚収容されている状態を示す説明図である。
【図６】第１光ディスク収容凹部２４の第１載置面２４Ａに直径１２ｃｍの光ディスクが２枚重ねて収容されている状態を示す説明図である。
【図７】第２光ディスク収容凹部２６の第２載置面２６Ａに直径８ｃｍの光ディスク２が１枚収容されている状態を示す説明図である。
【図８】第２光ディスク収容凹部２６の第２載置面２６Ａに直径８ｃｍの光ディスク２が２枚重ねて収容されている状態を示す説明図である。
【図９】第２光ディスク収容凹部２６の第２載置面２６Ａに直径８ｃｍの光ディスク２が１枚収容され、かつ、その上に、直径１２ｃｍの光ディスク２が１枚重ねて収容されている状態を示す説明図である。
【符号の説明】
【００１９】
１０……記録再生装置、１２……筐体、１４……トレー挿脱口、１６……トレー、２０……凸部。
【図１】
2009093764.tif 000003
【図２】
2009093764.tif 000004
【図３】
2009093764.tif 000005
【図４】
2009093764.tif 000006
【図５】
2009093764.tif 000007
【図６】
2009093764.tif 000008
【図７】
2009093764.tif 000009
【図８】
2009093764.tif 000010
【図９】
2009093764.tif 000011